(57)【要約】【課題】簡易な構成によって通信状態においてアンテナ部を人体から遠ざける。【解決手段】可動側部材１と固定側部材２とが回転軸１０を中心として開閉自在に連結し、内部にアンテナ部６を有することにより無線通信が可能な折り畳み式携帯電子機器において、アンテナ部６が収納され、回転軸５によって固定側部材２に回動自在に連結し、可動側部材１と固定側部材２とが開状態である場合に可動側部材１によって可動側部材１が開く方向に押されることにより固定側部材２に対して回動する無線収納部３を有する。【選択図】図１
2008283264.tif 000002
【特許請求の範囲】
【請求項１】
第１の筐体部と第２の筐体部とが第１の回転軸を中心として開閉自在に連結し、内部にアンテナ部を有することにより無線通信が可能な折り畳み式携帯電子機器において、
前記アンテナ部が収納され、第２の回転軸によって前記第２の筐体部に回動自在に連結し、前記第１の筐体部と前記第２の筐体部とが開状態である場合に前記第１の筐体部によって該第１の筐体部が開く方向に押されることにより前記第２の筐体部に対して回動する無線収納部を有することを特徴とする折り畳み式携帯電子機器。
【請求項２】
請求項１に記載の折り畳み式携帯電子機器において、
前記無線収納部は、第１の筐体部と第２の筐体部とが開状態である場合に前記第１の筐体部に当接する突き当て部を有し、前記第１の筐体部と前記第２の筐体部とが開状態である場合に前記突き当て部に前記第１の筐体部が当接することにより前記第１の筐体部が開く方向に押されることを特徴とする折り畳み式携帯電子機器。
【請求項３】
請求項１または請求項２に記載の折り畳み式携帯電子機器において、
前記無線収納部が前記第２の筐体部に対して回動した状態にて前記無線収納部を前記回動した方向とは反対方向に押し付ける押付部材を有することを特徴とする折り畳み式携帯電子機器。
【請求項４】
請求項１乃至３のいずれか１項に記載の折り畳み式携帯電子機器において、
前記無線収納部は、前記第２の筐体部に対して回動した状態にて前記第２の筐体部を構成する平面から突出することを特徴とする折り畳み式携帯電子機器。
【発明の詳細な説明】
【技術分野】
【０００１】
本発明は、折り畳み式携帯電子機器に関し、特に、折り畳み式携帯電子機器における可動部の構造に関する。
【背景技術】
【０００２】
現在、携帯電話機は、情報交換や情報収集の面から、生活にはなくてはならないツールとなりつつある。そのため、若者やビジネスマンのみならず、主婦や年配者も携帯電話機を所有することが多くなっている。このように、携帯電話機は、若者やビジネスマン、主婦、年配者といったように、老若男女を問わずして所有されることから、携帯電話機の形状も様々なものが考えられ、販売されている。
【０００３】
このような携帯電話機のような無線通信機能を有する携帯電子機器においては、無線通信機能を実現するためのアンテナ部が所定の領域に収納されており、その位置は固定である。携帯電話機においては、折り畳み式の携帯電話機が販売されており、携帯電話機そのものを大型化することなく表示部分の面積を大きくとれるため、多くの利用者に利用されているが、そのような折り畳み式の携帯電話機においても、開いた状態と閉じた状態とでアンテナ部の位置が固定されている。
【０００４】
ところで、アンテナ部は、人体に近いほど送受信性能が低下するため、通信状態においては人体からできるだけ遠ざけることが好ましい。また、人体にとっても、アンテナ部にて送受信する電波の影響を受けないためにも、通信状態においては、アンテナ部を人体から遠ざけることが好ましい。
【０００５】
ところが、上述したようにアンテナ部の位置が固定である場合、そのデザインによっては通信状態において人体からアンテナ部を遠ざけることが困難となってしまう。また、アンテナ部や無線の特性が悪い場合は、その位置やアンテナ部の外形自体を変更する必要が生じ、装置の外形もそれに応じて変更を行うこととなり、外観のデザイン性を損なう場合がある。
【０００６】
そこで、折り畳み式の携帯端末において、可動部の内部にカム部を設け、携帯端末を開いた際にこの可動部によってアンテナ部材を人体から遠ざかる方向に傾ける技術が特許文献１に記載されている。
【特許文献１】特開２００２−３３００１１号公報
【発明の開示】
【発明が解決しようとする課題】
【０００７】
しかしながら、特許文献１に記載されたものにおいては、アンテナ部材の角度を変えるためのカム部を携帯端末の内部に設ける必要があるため、可動部の内部にカム部を実装するためのスペースが必要となり、装置全体が大型化してしまうという問題点がある。また、アンテナ部材の角度を調整するためには可動部内部のカム部の形状を変更しなければならず、その調整が困難であるという問題点がある。
【０００８】
本発明は、上述したような従来の技術が有する問題点に鑑みてなされたものであって、簡易な構成によって通信状態においてアンテナ部を人体から遠ざけることができる折り畳み式携帯電子機器を提供することを目的とする。
【課題を解決するための手段】
【０００９】
上記目的を達成するために本発明は、
第１の筐体部と第２の筐体部とが第１の回転軸を中心として開閉自在に連結し、内部にアンテナ部を有することにより無線通信が可能な折り畳み式携帯電子機器において、
前記アンテナ部が収納され、第２の回転軸によって前記第２の筐体部に回動自在に連結し、前記第１の筐体部と前記第２の筐体部とが開状態である場合に前記第１の筐体部によって該第１の筐体部が開く方向に押されることにより前記第２の筐体部に対して回動する無線収納部を有することを特徴とする。
【００１０】
上記のように構成された本発明においては、通信状態とするために、第１の回転軸を中心として互いに開閉自在に連結した第１の筐体部と第２の筐体部とを開状態とすると、アンテナ部が収納され、第２の回転軸によって第２の筐体部に回動自在に連結した無線収納部が、第１の筐体部によって第１の筐体部が開く方向に押され、第２の回転軸を中心として第２の筐体部に対して回動する。これにより、第１の筐体部と第２の筐体部とを開状態においては、第１の筐体部と第２の筐体部との開状態側を人体に近づけて使用する場合、アンテナ部が収納された無線収納部が、第１の筐体部と第２の筐体部とが閉状態である場合と比べて人体から遠ざかるようになる。
【発明の効果】
【００１１】
以上説明したように本発明においては、第１の筐体部と第２の筐体部とが第１の回転軸を中心として開閉自在に連結し、内部にアンテナ部を有することにより無線通信が可能な折り畳み式携帯電子機器において、アンテナ部が収納され、第２の回転軸によって第２の筐体部に回動自在に連結し、第１の筐体部と第２の筐体部とが開状態である場合に第１の筐体部によって第１の筐体部が開く方向に押されることにより第２の筐体部に対して回動する無線収納部を有する構成としたため、第１の筐体部と第２の筐体部との開状態側を人体に近づけて使用する場合、アンテナ部が収納された無線収納部を、第１の筐体部と第２の筐体部とが閉状態である場合と比べて人体から遠ざけることができる。それにより、送受信性能の低下を抑制することができるとともに、人体に対する電波の影響を軽減することができる。
【発明を実施するための最良の形態】
【００１２】
以下に、本発明の実施の形態について図面を参照して説明する。
【００１３】
図１は、本発明の折り畳み式携帯電子機器の実施の一形態を示す図であり、（ａ）は開状態における開状態側の面を示す図、（ｂ）は（ａ）に示したＡ−Ａ’断面図、（ｃ）は開状態における裏面側の面及び内部構成を示す図である。
【００１４】
本形態は図１に示すように、実装部を筐体により覆っている第１の筐体部である可動側部材１と、実装部を筐体により覆っている第２の筐体部である固定側部材２とが、第１の回転軸１０にて回動自在に連結され、可動側部材１を回転軸１０を中心に回動させて可動側部材１と固定側部材２とを開く構成において、さらに、無線通信手段の役割を担う金属体、もしくは基板上に金属パターンを引き回したアンテナ部６を筐体によって囲うことにより収納している無線収納部３が、第２の回転軸５によって固定側部材２に回動自在に連結されて構成されている。また、押付部材であるバネ部４により、固定側部材２と無線収納部３にそれぞれその端点を含む直線等で構成される非駆動部が固定され、その無線収納部３の軸として固定され、バネ部４の駆動範囲に軸が通され、その両端部が固定側部材２の一部により固定される構成となっている。
【００１５】
また、この無線収納部３のアンテナ部６と、固定側部材２に実装された基板７とは、その回転摺動を実施させるバネ部４以外の範囲にそれらを電気的な情報伝達を実施可能にするための伝達ケーブル８にて電気的に接続されており、固定側部材２と可動側部材１とが開状態、閉状態のいずれでも電気的な伝達が可能となっている。
【００１６】
また、無線収納部３には、可動側部材１をある一定の角度に開くと、可動側部材１が当接する突き当て部９が設けられており、この突き当て部９は、固定側部材２の平面よりも突出し、可動側部材１をある一定の角度に開いていく際に突き当てを円滑に行なうために柔軟なゴム等の材料にて構成されている。
【００１７】
また、バネ部４は、筐体同様もしくは固定に必要な強度を有する材料にて構成されるバネ部固定補助部品１２によって、非駆動部の一部が固定側部材２に固定されている。また、固定側部材２には、無線収納部３付近の防水及び防塵を可能とするために、柔軟な材料にて構成されるパッキン部品１１が、伝達ケーブル８を通すために設けられた穴の部分に取り付けられている。
【００１８】
以下に、上記のように構成された折り畳み式携帯電子機器の動作について説明する。
【００１９】
図２は、図１に示した固定側部材２と可動側部材１とが閉状態である場合の断面図であり、図３は、図１に示した可動側部材１が開かれていく状態を示す断面図であり、図４は、図１に示した固定側部材２と可動側部材１とが開状態である場合の断面図である。
【００２０】
固定側部材２と可動側部材１とが閉状態の場合は図２に示すように、無線収納部３は、可動側部材１に当接しておらず、固定側部材２に対して回転軸５を中心として回動していない状態となっている。
【００２１】
この状態から、固定側部材２を固定して可動側部材１を回転軸１０を起点として開いて行き、固定側部材２と可動側部材１とのなす角度がある一定の角度まで達すると、図３に示すように、可動側部材１の筐体背面が、無線収納部３の一部として固定されている突き当て部９に当接し、そこから可動側部材１を更に開いて行くと、図４に示すように、無線収納部３が、固定側部材２の背面側、すなわち可動側部材１が開く方向に押され、無線収納部３が固定側部材２に可動中心として固定されているバネ部４の回転軸５を軸として固定側部材２に対して回動する。そして、可動側部材１が完全に開ききった状態（本形態では１６０度）において、無線収納部３は回転軸５を起点に固定側部材２の背面を構成する平面よりも傾いて突出した状態にて維持される。なお、この無線収納部３の突出量は、突き当て部９の高さによって調整することが可能である。
【００２２】
このように、無線収納部３が、固定側部材２の背面を構成する平面よりも傾いて突出することにより、使用者が手で固定側部材２を握る際に、突出した無線収納部３が視認可能となって無線収納部３を避けて握るようになり、アンテナ部６等が手により覆われることを回避することができ、特性劣化を防止させることが可能となる。
【００２３】
また、この際、固定側部材２と無線収納部３にそれぞれ非可動部の一部を固定しているバネ部４によって固定側部材２と可動側部材１とを閉状態とする方向に戻ろうとする力が働くが、装置は開いた状態にて回転軸１０の完全開状態にてロックされているため、装置が閉じられて固定側部材２と可動側部材１とが閉状態となってしまうことはなく、安定してその位置を保持させることが可能となる。無線収納部３内に固定されているアンテナ部６もまた無線収納部３と同等な角度にて保持され、可動側部材１の正面より距離を離した位置にて安定する。
【００２４】
この完全開状態では、無線収納部３と固定側部材２には、閉状態から可動側部材１を開く際に応力が掛かり、閉状態に戻るような力が働くようにバネ部４がそれぞれに固定され、その軸となる部分に固定軸が固定されている。そのため、その後、可動側部材１を回転軸１０を中心として反対側に回動させ、可動側部材１と固定側部材２とを閉状態とすると、無線収納部３は、バネ部４によって可動側部材１が開状態にて回動した方向とは反対側の方向に押し付けられているので、元の状態に戻る。
【００２５】
以下に、上述した折り畳み式携帯電子機器を実際に使用した場合の効果について説明する。
【００２６】
図５は、図１に示した折り畳み式携帯電子機器を実際に使用した状態を示す図であり、図６は、従来の折り畳み式携帯電子機器を実際に使用した状態を示す図である。
【００２７】
図５及び図６に示すように、本形態における折り畳み式携帯電子機器においては、アンテナ部６を含む無線収納部３の人体表面からの距離は、本形態を同等な条件で定義した従来の折り畳み式携帯電子機器と比べて離すことが可能となるため、人体へのアンテナ及び無線による影響を軽減することが可能となる。
【００２８】
上述したように本形態においては、固定側部材２と可動側部材１とが回転軸１０を中心として開閉自在に構成された折り畳み式携帯電子機器において、開動作を行なう際に、固定側部材２と可動側部材１とのなす角度がある一定の角度に達すると、可動側部材１の筐体背面が、固定側部材２に回転軸５によって回動自在に連結された無線収納部３の一部である突き当て部９と当接し、その後、さらに可動側部材１を回動させていき、無線収納部３を可動側部材１の回動方向に押すことにより、固定側部材２と可動側部材１との開状態側を人体に近づけて使用する場合、アンテナ部６が収納された無線収納部３を、固定側部材２と可動側部材１とが閉状態である場合と比べて人体から遠ざけることができる。
【００２９】
上記動作により、折り畳み式携帯電子機器を完全な開状態にて通話利用している際に、無線収納部３の人体からの距離を、同様な装置構成を有する従来の折り畳み式電子携帯機器よりも確保することが可能となる。また、無線収納部３自体が可動する構成であるため、デザイン決定後の無線特性改善、その他対応による変更を免れることが可能となる。
【００３０】
なお、上述した実施の形態においては、完全開状態の角度を１６０度と設定したが、固定側部材２と可動側部材１とを連結する回転軸１０によって１８０度等に設定することが可能であり、また、無線収納部３の可動機構として使用した軸を有するバネ部４の構造についても、２つの端部を固定し、装置を閉状態に戻すような方向への反力を有するものであればそれを用いることが可能である。
【００３１】
また、本形態にてアンテナ部６と固定側部材２内部に実装されている基板７とを接続する方法については伝達ケーブル８に限らず、無線収納部３の可動時に柔軟に動くことを可能とする材料にて置き換えることができる。
【図面の簡単な説明】
【００３２】
【図１】本発明の折り畳み式携帯電子機器の実施の一形態を示す図であり、（ａ）は開状態における開状態側の面を示す図、（ｂ）は（ａ）に示したＡ−Ａ’断面図、（ｃ）は開状態における裏面側の面及び内部構成を示す図である。
【図２】図１に示した固定側部材と可動側部材とが閉状態である場合の断面図である。
【図３】図１に示した可動側部材が開かれていく状態を示す断面図である。
【図４】図１に示した固定側部材と可動側部材とが開状態である場合の断面図である。
【図５】図１に示した折り畳み式携帯電子機器を実際に使用した状態を示す図である。
【図６】従来の折り畳み式携帯電子機器を実際に使用した状態を示す図である。
【符号の説明】
【００３３】
１    可動側部材
２    固定側部材
３    無線収納部
４    バネ部
５，１０    回転軸
６    アンテナ部
７    基板
８    伝達ケーブル
９    突き当て部
１１    パッキン部品
１２    バネ部固定補助部品
【図１】
2008283264.tif 000003
【図２】
2008283264.tif 000004
【図３】
2008283264.tif 000005
【図４】
2008283264.tif 000006
【図５】
2008283264.tif 000007
【図６】
2008283264.tif 000008